(57)【要約】【課題】売上金入金処理装置から通信によって特殊景品の発注を可能とする売上金入金処理装置を提供する。【解決手段】遊技店に設置される売上金入金処理装置と、遊技店からの注文を受けて特殊景品を納入する景品問屋の端末と、サーバとをネットワークで接続し、売上金入金処理装置から特殊景品の個数を含む特殊景品注文情報をサーバに送信し、サーバは、受信した特殊景品注文情報を遊技店の識別情報と関連付けて記憶し、景品問屋の端末はサーバから特殊景品注文情報をダウンロードし、端末の記憶手段に格納する受注手段を具備する。【選択図】図１
2007167356.tif 000002
【特許請求の範囲】
【請求項１】
遊技店に設置され該遊技店内の現金を入金処理するための売上金入金処理装置と、
前記遊技店からの特殊景品の注文を受けて、該特殊景品を納入する景品問屋の端末と、
ネットワークを介して前記売上金入金処理装置及び景品問屋の端末と通信可能に接続されるサーバとを含む特殊景品発注システムであって、
前記売上金入金処理装置は、少なくとも前記特殊景品の個数を含む特殊景品注文情報を入力する入力手段と発注指示手段とを具備し、該発注指示手段によって前記特殊景品注文情報と前記遊技店の識別情報とが前記サーバに送信され、
前記サーバは、受信した前記特殊景品注文情報を前記遊技店の識別情報と関連付けて記憶する記憶手段を具備し、
前記景品問屋の端末は、前記サーバから前記遊技店の識別情報と関連付けられた前記特殊景品注文情報をダウンロードし、前記端末の記憶手段に格納する受注手段を具備したことを特徴とする特殊景品発注システム。
【請求項２】
前記売上金入金処理装置は金庫化された現金カセットを備え、前記入力手段で入力される特殊景品の代金相当額を該現金カセットに入金処理する入金処理手段を具備することを特徴とする請求項1に記載の特殊景品発注システム。
【請求項３】
前記特殊景品注文情報が前記特殊景品の代金金額情報を含むことを特徴とする請求項２に記載の特殊景品発注システム。
【請求項４】
前記サーバは前記遊技店が警備委託契約をしている警備会社のサーバであり、該サーバが前記特殊景品注文情報を受信すると前記現金カセットに入金された代金の回収指示情報を発生させることを特徴とする請求項３に記載の特殊景品発注システム。
【請求項５】
遊技店に設置され該遊技店内の現金を入金処理するための売上金入金処理装置と、
前記遊技店からの特殊景品の注文を受けて、該特殊景品を納入する景品問屋の端末と、
前記遊技店が警備委託契約をしている警備会社の端末と、
ネットワークを介して前記売上金入金処理装置、前記景品問屋の端末及び警備会社の端末と通信可能に接続されるサーバとを含む特殊景品発注システムであって、
前記売上金入金処理装置は、少なくとも前記特殊景品の個数及び代金金額を含む特殊景品注文情報を入力する入力手段と発注指示手段とを具備し、該発注指示手段によって前記特殊景品注文情報と前記遊技店の識別情報とが前記サーバに送信され、
前記サーバは、受信した前記特殊景品注文情報を前記遊技店の識別情報と関連付けて記憶する記憶手段を具備し、
前記景品問屋の端末は、前記サーバから前記遊技店の識別情報と関連付けられた前記特殊景品注文情報をダウンロードして端末の記憶手段に格納する受注手段を具備し、
前記警備会社の端末は、前記サーバから前記遊技店の識別情報と関連付けられた前記特殊景品注文情報をダウンロードして端末の記憶手段に格納する代金回収手段を具備したことを特徴とする特殊景品発注システム。
【請求項６】
前記サーバが、前記特殊景品注文情報を受信すると、前記遊技店の識別情報と関連付けられた前記特殊景品注文情報を前記景品問屋の端末に対してメール送信を行う電子メール送信手段を具備したことを特徴とする請求項１乃至５のいずれかに記載の特殊景品発注システム。
【発明の詳細な説明】
【技術分野】
【０００１】
本発明は遊技店での特殊景品発注システムに関するもので、特に遊技店舗に設置される売上金入金処理装置を利用した特殊景品発注システムに関する。
【背景技術】
【０００２】
遊技店の営業において、特殊景品を発注して仕入れることは極めて重要な位置を占めている。なぜなら、顧客が遊技によって獲得した賞球（又はメダル）は法律上そのまま換金できないため、菓子やたばこ等の一般景品と交換するか、特殊景品と呼ばれる換金用の景品と交換するかのいずれかを選択することになるが、ほとんどの顧客は後者を選択するのが実情であるからである。ここで、特殊景品による換金システムについて図３を基に簡単に説明する。
図４は前記特殊景品の流れを図示したものであり、遊技客が遊技により獲得した玉又はメダルは遊技店により特殊景品に換えられる。遊技客はこの特殊景品を遊技店の近くにある景品買取所（特殊景品買い取り業者）に持ち込み、現金に換える。特殊景品買い取り業者は、遊技客から買い取った特殊景品を問屋に買い取ってもらい、代金を受け取る。さらに、問屋は買い取った特殊景品を遊技店に卸し、代金を受け取る。このようにして、顧客は、結果的には、賞球（又はメダル）を遊技店に渡し、現金を（景品問屋及び景品買取所を迂回して）遊技店から受け取っていることと同じことになる。
従来、遊技店から景品問屋への特殊景品発注は電話やＦＡＸで行われており、人手に頼るところが大きく、受発注処理の確実性や業務管理面に課題がある。また、特殊景品代金の支払処理は紙ベース（発注書・領収書）で行われており、コンピュータによるシステム化が望まれていた。
【０００３】
一方、遊技店に設置される売上金入金処理装置であって、店舗内の両替機、遊技カード販売機、台間玉貸機／台間メダル貸機から集めてきた現金を使途別に仕分けして入金するものが本出願人によって提案されている(特許文献１参照)。
上記特許文献１で示される売上金入金処理装置においては、金額情報入力部にて特殊景品交換代金を金種ごとに指定して入力する機能が開示されている。
また、下記特許文献２には、特殊景品の個数情報を入力し該個数情報を特殊景品交換代金の額に換算する金額換算手段を備え、該換算された金額情報に基づいて所定の収納部に特殊景品交換代金を仕分け収納する売上金入金処理装置が開示されている。
【特許文献１】特開2004−054456号公報
【特許文献２】特開2005−261818号公報
【発明の開示】
【発明が解決しようとする課題】
【０００４】
しかしながら、上記売上金入金処理装置は、金額情報や個数情報に基づいて特殊景品交換代金を仕分け収納するだけであり、特殊景品の仕入業務(注文伝票発行、支払処理伝票発行)は、従来のように紙ベースで行われていたため、記載ミスや伝票発行業務の煩雑さ等の問題があった。
本発明は、上述のような事情に鑑み為されたものであり、入力された特殊景品の個数や金額情報に基づいて売上金入金処理装置から直接通信によって特殊景品の発注を可能とする売上金入金処理装置を提供することにより、遊技店における特殊景品仕入業務管理の合理化を図ることを目的とする。
【課題を解決するための手段】
【０００５】
本発明は売上金入金処理装置を利用した特殊景品発注システムに関し、本発明の上記目的は、遊技店に設置され該遊技店内の現金を入金処理するための売上金入金処理装置と、前記遊技店からの特殊景品の注文を受けて、該特殊景品を納入する景品問屋の端末と、ネットワークを介して前記売上金入金処理装置及び景品問屋の端末と通信可能に接続されるサーバとを含む特殊景品発注システムであって、
前記売上金入金処理装置は、少なくとも前記特殊景品の個数を含む特殊景品注文情報を入力する入力手段と発注指示手段とを具備し、該発注指示手段によって前記特殊景品注文情報と前記遊技店の識別情報とが前記サーバに送信され、前記サーバは、受信した前記特殊景品注文情報を前記遊技店の識別情報と関連付けて記憶する記憶手段を具備し、前記景品問屋の端末は、前記サーバから前記遊技店の識別情報と関連付けられた前記特殊景品注文情報をダウンロードし、前記端末の記憶手段に格納する受注手段を具備したことを特徴とする特殊景品発注システムによって達成される。
【０００６】
また、本発明の上記目的は、前記売上金入金処理装置が金庫化された現金カセットを備え、前記入力手段で入力される特殊景品の代金相当額を該現金カセットに入金処理する入金処理手段を具備することにより、或いは、前記特殊景品注文情報に前記特殊景品の代金金額情報を含めることにより、或いは、前記サーバが前記遊技店が警備委託契約をしている警備会社のサーバであり、該サーバが前記特殊景品注文情報を受信すると前記現金カセットに入金された代金の回収指示情報を発生させることによって効果的に達成される。
【０００７】
さらに、本発明の上記目的は、遊技店に設置され該遊技店内の現金を入金処理するための売上金入金処理装置と、前記遊技店からの特殊景品の注文を受けて、該特殊景品を納入する景品問屋の端末と、前記遊技店が警備委託契約をしている警備会社の端末と、ネットワークを介して前記売上金入金処理装置、前記景品問屋の端末及び警備会社の端末と通信可能に接続されるサーバとを含む特殊景品発注システムであって、
前記売上金入金処理装置は、少なくとも前記特殊景品の個数及び代金金額を含む特殊景品注文情報を入力する入力手段と発注指示手段とを具備し、該発注指示手段によって前記特殊景品注文情報と前記遊技店の識別情報とが前記サーバに送信され、前記サーバは、受信した前記特殊景品注文情報を前記遊技店の識別情報と関連付けて記憶する記憶手段を具備し、前記景品問屋の端末は、前記サーバから前記遊技店の識別情報と関連付けられた前記特殊景品注文情報をダウンロードして端末の記憶手段に格納する受注手段を具備し、前記警備会社の端末は、前記サーバから前記遊技店の識別情報と関連付けられた前記特殊景品注文情報をダウンロードして端末の記憶手段に格納する代金回収手段を具備したことを特徴とする特殊景品発注システムによって達成される。
【０００８】
またさらに、本発明の上記目的は、前記サーバが、前記特殊景品注文情報を受信すると、前記遊技店の識別情報と関連付けられた前記特殊景品注文情報を前記景品問屋の端末に対してメール送信を行う電子メール送信手段を具備することにより、さらに効果的に達成される。
【発明の効果】
【０００９】
本発明に係る特殊景品発注システムによれば、売上金入金処理装置からの特殊景品注文情報（発注数量・代金金額）をサーバで管理し、景品問屋の専用端末へネットワークを介して配信を行うため、遊技店は売上金入金処理装置で景品代金を作成するだけで、景品問屋への発注が可能となる。遊技店及び景品問屋の取引履歴をサーバで一元管理することで、遊技店及び景品問屋の管理の手間がなくなる。さらには、景品問屋で遊技店へ納品した景品個数と受け取った景品代金の照合（過去履歴含め）が簡単に行える。
また、代金の情報が警送会社に送信され、警送会社が遊技店の景品代金を回収して景品問屋に支払うため、遊技店から景品問屋への現金支払処理の手間が削減される。
【発明を実施するための最良の形態】
【００１０】
以下、本発明を実施するための最良の形態について図面を参照しつつ説明する。
図１は本発明に係る特殊景品発注システムの第１の実施形態のブロック図である。図において、遊技店Ａ(複数ある遊技店のうちの一店を表している。)の事務所に設置されている売上金入金処理装置（以下、ＤＳＰという。）１０と、景品問屋の端末２０と、警送会社に設置されているサーバ３０がネットワーク４０を介して通信可能に接続されている。さらに、サーバ３０にはデータベース（記憶手段）３１が接続されている。
なお、サーバ３０が警送会社に設置されるのが好ましい理由は、遊技店の警備を委託契約していると共に、店舗で発生した粗利益を店舗の銀行口座に振り込む処理も契約で委託しているからである。つまり、現金の運搬を担当している警送会社に、特殊景品代金も併せて扱ってもらう方がより合理的であるということである。
また、単に特殊景品の注文内容を連絡するというだけを考えれば、サーバ３０を景品問屋に設置するような運用にすることも可能であるが、そのときは警送会社に端末２０を設置すればよい。
【００１１】
以上の構成における、本発明に係る特殊景品発注システムの処理の流れについて、図２のフローチャートを参照しつつ説明する。
一般的な遊技店における運用を例として説明すると、営業終了後、両替機や券売機等のフロア機器から回収してきた現金（紙幣）を事務所内に設置してあるＤＳＰ１０にて入金処理を行い、予め設定入力した翌日の営業に使用する店内準備金（両替用の紙幣等）、特殊景品購入代金（以下、「景品代金」という。）に仕分けし、残りを粗利分として、それぞれ専用の収納部に入れられる（ステップＳ１〜３）。景品代金及び粗利は収納部としての金庫化された現金カセットに収納されるように構成されており、ＤＳＰ１０からのカセット抜き取りを許可するための手段（例えば、ＩＤ認証で解錠させる装置）が備えられている。
なお、ＤＳＰ１０には景品代金の金額及び景品の注文個数等を入力するための入力手段や、入力された景品代金の金額通りに売上金を仕分けてカセットに収納する入金処理手段が備えられているが、上記特許文献１に記載のＤＳＰのものを利用できるので、詳しい説明は省略する。
ＤＳＰ１０には発注指示手段としての発注ボタンが備えられており、売上金の入金処理が終了した時点で、オペレータによって発注ボタンが押下されると、ＤＳＰ１０の図示しない送信手段によって、景品の注文個数、景品代金金額及び遊技店の識別情報が関連付けられてサーバ３０に送信される（ステップＳ４）。なお、発注指示手段として、発注ボタンの押下ではなく、入金処理終了のタイミングで自動的に注文情報が送信されるようにしてもよい。
【００１２】
ＤＳＰ１０から送信された特殊景品注文情報（発注数量・代金金額）は、遊技店の識別情報と関連付けられてサーバ３０に接続された記憶手段３１に格納される（ステップＳ５）。遊技店の識別情報と関連付けるのは、景品問屋に特殊景品を注文する遊技店が複数ある場合を考慮したものであり、遊技店が１つのみの場合は不要であることは言うまでもない。
【００１３】
ＤＳＰ１０からサーバ３０に注文情報が送信され、記憶手段３１に格納されると、サーバ３０は代金回収指示情報（フラグ）を発生させ、景品代金（代金カセット）の回収が可能であることを知らせる。例えば注文が入ったことを点滅表示するようにする。
景品問屋の端末２０は、通常、サーバ３０に常時接続されており、端末２０の画面から注文情報がサーバに入ったことが確認できるので、景品問屋の担当者はサーバ３０から注文情報(遊技店の識別情報と関連付けられている。以下同じ。)をダウンロードして（図示しない）記憶手段に格納するための受注手段を作動させて注文情報をダウンロードして画面に表示させ、特殊景品の注文個数を確認する（ステップＳ６）。なお、サーバ３０にメール送信手段を設け、所定のタイミング（例えば、注文情報の受信時、あるいは、毎日決まった時刻）で端末２０に電子メールで通知するようにしてもよい。次に、景品問屋は注文された個数分の特殊景品を遊技店Ａに納品する（ステップＳ７）。ダウンロードした景品注文情報は、店舗別に集計され、後の景品代金受領時の照合に用いられる。
【００１４】
一方、警送会社においては、サーバ３０に代金回収指示フラグが立てられると、警備員が遊技店のＤＳＰ１０から代金の入った現金カセットを回収する（ステップＳ８）。本願発明とは直接関係ないが、このとき粗利の入ったカセットも一緒に回収する。この粗利分は遊技店Ａの指定口座に振り込まれる。
カセットを回収した警送会社では、回収したカセットが遊技店Ａのものであることをカセットに貼付されたＩＤタグ等から読み取り、記憶手段３１に格納された代金情報と照合を行う（ステップＳ９）。
回収され、金額照合された景品代金は、景品問屋の指定口座に振り込まれるか、または直接警備員によって現金で搬送される（ステップＳ１０）。景品問屋は、受領した景品代金と、端末２０内にある注文情報との照合を行う（ステップＳ１１）。
なお、上記において景品問屋というのは、図４における景品買取所が景品問屋を兼ねている場合をも含むものである。
【００１５】
図３は本発明に係る特殊景品発注システムの第２の実施形態のブロック図である。図１と違う点は、サーバ３０が第三者機関の運営に係るものであり、警送会社にはクライアント端末５０が設けられている点である。警送会社に独立したサーバを設ける代わりに、すでに第三者によって運営されているサーバを間借りすることによって、運用コストが削減できるとともに、サーバのメンテナンス等の手間が省けるというメリットがある。
その他の処理の流れ等は同等であるので、説明は省略する。
【図面の簡単な説明】
【００１６】
【図１】本発明に係る特殊景品発注システムの第１の実施形態のブロック図である。
【図２】特殊景品発注システムの処理の流れを示すフローチャートである。
【図３】本発明に係る特殊景品発注システムの第２の実施形態のブロック図である。
【図４】特殊景品の流れを説明するための図である。
【符号の説明】
【００１７】
１０  売上金入金処理装置
２０  景品問屋の端末
３０  サーバ
３１  記憶手段
４０  ネットワーク
５０  警送会社の端末
【図１】
2007167356.tif 000003
【図２】
2007167356.tif 000004
【図３】
2007167356.tif 000005
【図４】
2007167356.tif 000006